(57)【特許請求の範囲】
【請求項１】
変更された分解の生成を含む白いアンダーベースの自動生成に基づいて有色の背景上にオンライン又はオフラインで印刷する埋込み型システムであって、
前記有色の背景上に印刷可能な画像に関する入力データを受け取る埋込み型装置であって、前記画像が透明度情報を含む色及びグレースケールの一方を構成し、前記入力データを処理し、変更された分解を含む白のアンダーベース情報を出力する埋込み型装置と、
第１の態様においてオフライン印刷に関して版作製手段又はフィルム生成手段として作動し、第２の態様においてオンライン印刷に関して印刷コントローラとして作動することができる二重作動機器と、
オフライン印刷が適用される場合、オフセット印刷機器及びスクリーン印刷機器からなる群から選択され、且つ／又はオンライン印刷が使用される場合、インクジェット・プリンタ及びレーザ・プリンタを含む群から選択される印刷機器と
を備えるシステム。
【請求項２】
黒い背景を有する基材上への印刷を可能にするために所与の画像から白のアンダーベース情報を生成する方法であって、
ａ）前記所与の画像内にコード化された透明度データ又は不透明度データを適用することによって白いベースを生成するために適用可能な又は廃棄可能なピクセルを識別する段階と、
ｂ）原色／色生成のために適用されるべき前記不透明度データに対応する色を計算する段階と、
ｃ）画像の色を印刷色パーセント値に分割する段階であって、前記印刷色パーセント値がプリンタのタイプに従ってタイプ及び数において可変であり、例えば、そのようなプリンタはＣＭＹＫ、ＣＭＹＫＯＧ、ＣＫＭＹＬｃＬｍ、ＣＭＹＫＯＢなどとすることができ、前記プリンタのタイプは関与する多様性を示す目的でのみここで言及されている段階と、
ｄ）段階（ｃ）で抽出された黒の印刷色データを使用することによって白いアンダーベースを生成する段階と
を含む方法。
【請求項３】
黒以外の有色の背景を有する有色の基材上への印刷を可能にするために所与の画像から白のアンダーベース情報を生成する方法であって、
ａ）前記所与の画像内にコード化された透明度データ又は不透明度データを適用することによって白いベースを生成するために適用可能な又は廃棄可能なピクセルを識別する段階と、
ｂ）印刷されるべき白いアンダーベースの量を計算する段階と、
ｃ）前記所与の画像内にコード化された透明度／不透明度データを使用することによって白のアンダーベース値を決定する段階と、
ｄ）前記白いアンダーベースに印刷するためのプリンタ原色生成のために考慮されるべき色を計算する段階と
を含む方法。
【請求項４】
前記印刷色／原色が、例えば、ＣＭＹＫ、ＣＭＹＫＯＧ、ＣＭＹＫＯＢ、ＣＭＹＫＬｃＬｍに適用されるプリンタのタイプに基づいて可変であり、 すべてのこれらのプリンタが前記印刷色／原色として黒を含む、請求項２及び３に記載の方法。
【請求項５】
他の印刷色に関する前記黒の印刷原色データが黒い背景を有する基材に白いアンダーベースを生成するために適用される、請求項２及び４に記載の方法。
【請求項６】
有色の背景上に白いアンダーベースを生成するための印刷色／原色データの使用、例えば、請求項２及び４に記載の方法を行うことによるシアンの背景上へのシアンの印刷原色データの使用。
【発明の詳細な説明】
【技術分野】
【０００１】
本発明は、一般に、有色の背景上に所与の画像を印刷するために白いアンダーベースを生成する装置に関する。より詳細には、本発明は、有色の背景への所与の画像の自動印刷を可能にするために白いアンダーベースを生成する装置に関する。本発明は、さらに、有色の基材への所与の画像の自動印刷を可能にするために白いアンダーベースを生成する方法に関する。
【背景技術】
【０００２】
一般に、印刷は、オレンジ、青、緑、赤などのような拡張インク／スポット・インクと共に又はそれなしでプロセス・カラーすなわちＣＭＹＫを使用して白い基材上になされる。用途によっては画像からのスポット・カラーだけが使用される。しかし、大部分の状況では、印刷版は白い背景を念頭において生成される。
【０００３】
それでもなお、用途によっては黒を含む有色の背景上に印刷を行うことが必要とされる。そのような状況では、白いアンダーベースが使用される。現在、そのような状況の要求を満たすために当業界で採用されている方法は不十分で扱いにくく、印刷プロセス用の版を製作するために白いアンダーベースを含む分解（ｓｅｐａｒａｔｉｏｎ）を生成する操作者の技能レベルに依存する。現在、ほとんどすべての分解作業はコンピュータ及び同様の電子装置で行われる。したがって、この分解は印刷用の版を生成することなしに印刷装置によって直接使用される。そのような印刷装置はレーザ・プリンタ又はインクジェット・プリンタなどとすることができる。
【０００４】
白いアンダーベースを生成するのに広く使用されている４つ既存の方法がある。それらは以下のようなものである。
【０００５】
１．黒い背景上に印刷する場合に使用される最も一般的な方法は、カラー印刷プロセスで黒インクを使用する代わりに背景の黒色を使用することを含む。そのように発現された白いアンダーベースは印刷されるべき画像に応じて変化する色調を有するグレースケール画像である。現在、当業界で使用される最も一般的な方法は、複製されるべき画像のネガを生成し、それをグレー画像に変換し、次に、得られる画像のグレー・レベルを操作者の助けを借りて調節することである。あるべき白の量は、実際には操作者の知識に基づいて決定される。操作者が十分に経験を積んでいる場合、１回又は２回のさらなる繰返しで完全にすることができる良好な開始点を達成することができる。さもなければ、アンダーベースへの印刷を含めて白いアンダーベースを生成する追加の繰返しを行った後、正しいアンダーベースの設定を達成することができる。
【０００６】
往々にして、操作者は、最後には必要以上の白をもたらすベタの白として区域の多くを画定することになり、その結果、粗悪な印刷を招くことになる。さらに、そのような方法は、印刷されるべき画像のグレースケール・ネガが白いアンダーベースを適切に画定することになるという前提では、固有の弱点を含む。この前提は、画像自体がグレースケール画像である場合、又は画像の色が淡い場合を除いてほとんどすべての場合に成り立たない。例えば、黄色のわずかな色相を除いて濃い色及び飽和色の場合、この方法は失敗する。明るい赤色又は明るい青色の場合、そのような色は濃いグレー値になり、その結果、白インクの量はアンダーベースとしてほとんど使用されないことになるので、この方法は失敗する。しかし、実際は、それらの色の印刷では、それらがいかなる黒い成分も含んでいないのでほぼ１００％の白いアンダーベースが必要である。参考文献［１］、［２］、［４］。
【０００７】
２．当業者によって使用される第２の方法は、画像の色が印刷されるべきすべてのところにベタの白いアンダーベースを置くことである。この方法は黒い背景でも使用することができるが、一般に有色の背景の場合に使用される。次いで、印刷が、通常、白いアンダーベース上に行われる。
【０００８】
印刷されるべき画像が背景に滑らかに溶け込むための軟調なエッジ又はビネットがある場合、この方法は失敗する。その理由は、ベタの白がアンダーベースとして印刷され、画像が今やあたかも白い背景上に印刷されつつあるかのように画像の印刷がそれの上に行われるからである。普通なら背景に滑らかに溶け込むべき画像のエッジが、背景の色から白い色まで急に飛躍するので硬調になる。参考文献［１］、［２］、［３］、［４］、［５］。
【０００９】
３．参考文献［４］で説明されている一方法では、操作者の対話作業の助けによって白いアンダーベースを生成することができるシステムに供給されるべき同じ画像の２つの異なる製作物、すなわち黒い背景上及び白い背景上のものを使用することが必要とされる。
【００１０】
４．参考文献［６］に開示された別の方法があり、操作者が対話式に白いアンダーベースを生成し、その後、そのように生成された白いアンダーベースのエッジを軟調にするオプションをもつ背景と考えることができる色を選択することによって画像が印刷される。
【００１１】
上記のすべての先行技術では、白いアンダーベースは、印刷のための作業が与えられている間に対話式に操作者によって生成されるか、又は画像編集ソフトウェアにおいてオフラインで生成され、印刷で使用されるべき画像に加えて白いアンダーベースのチャネル・データ［５］として保存される。
【発明の開示】
【発明が解決しようとする課題】
【００１２】
したがって、本発明の目的は、先行技術の欠点を除く、有色の背景上への所与の画像の自動印刷を可能にするために白いアンダーベースを生成する装置を提案することである。
【００１３】
本発明の別の目的は、ヒューマン・エラーを予防するために人間の介在を除く、有色の背景上への所与の画像の自動印刷を可能にするために白いアンダーベースを生成する装置を提案することである。
【００１４】
本発明のさらに別の目的は、有色の基板上への印刷のプロセスの単純化を容易にする、有色の背景上への所与の画像の自動印刷を可能にするために白いアンダーベースを生成する装置を提案することである。
【００１５】
本発明のさらなる目的は、生産性を増加させる、有色の背景上への所与の画像の自動印刷を可能にするために白いアンダーベースを生成する装置を提案することである。
【００１６】
本発明のさらなる目的は、有色の基材上への所与の画像の自動印刷を可能にするために白いアンダーベースを生成する方法を提案することである。
【課題を解決するための手段】
【００１７】
したがって、変更された分解の生成を含む白いアンダーベースの自動生成に基づいて有色の背景上にオンライン又はオフラインで印刷する埋込み型システムが提供される。このシステムは有色の背景上に印刷可能な画像に関する入力データを受け取る埋込み型装置を含み、この画像は透明度情報を含む色又はグレースケールである。この装置は入力データを処理し、変更された分解を含む白のアンダーベース情報を出力する。第１の態様においてオフライン印刷に関する版作製手段又はフィルム生成手段として作動し、第２の態様においてオンライン印刷に関する印刷コントローラとして作動することができる二重作動機器が提供される。また、オフライン印刷が適用される場合、オフセット印刷機器及びスクリーン印刷機器からなる群から選択することができ、且つ／又はオンライン印刷が使用される場合、インクジェット・プリンタ及びレーザ・プリンタを含む群から選択することができる印刷機器が配置される。
【００１８】
本発明は、黒い背景を有する衣服への印刷を可能にするために所与の画像から白のアンダーベース情報を生成する方法をさらに提供する。この方法は、所与の画像内にコード化された透明度データ又は不透明度データを適用することによって白いベースを生成するために適用可能な又は廃棄可能なピクセルを識別する段階と、原色／色生成のために適用されるべき不透明度データに対応する色を計算する段階と、Ｋが黒色に対応するとして、ＣＭＹＫ、ＣＭＹＫＯＢ、ＣＭＹＫＯＧのような様々なタイプのプリンタに対応して量、タイプ、及び数において可変である印刷色パーセント値に画像の色を分割する段階と、前もって抽出された黒の印刷色データを使用することによって白いアンダーベースを生成する段階とを含む。
【００１９】
本発明は、黒以外の有色の背景を有する有色の衣服への印刷を可能にするために所与の画像から白のアンダーベース情報を生成する方法も提供する。この方法は、所与の画像内にコード化された透明度データ又は不透明度データを適用することによって白いベースを生成するために適用可能な又は廃棄可能なピクセルを識別する段階と、印刷されるべき白いアンダーベースの量を計算する段階と、所与の画像内にコード化された透明度／不透明度データを使用することによって白のアンダーベース値を決定する段階と、不透明度及び原色データを適用して白いアンダーベースに印刷するためにプリンタ原色の生成に考慮されるべき色を計算する段階とを含む。
【００２０】
このようにして、本発明は黒を含む有色の基材に印刷するための白いアンダーベースを生成する。黒はカラー印刷並びにスポット・カラーを伴う印刷の両方で使用される極めて一般的な色であるので、黒い背景は極めて特別な場合として扱われるが、それは黒い背景を使用して黒色の印刷の必要をなくすことができるからである。
【実施形態】
【００２１】
図４に示されるように、システムは以下のものを含む。
【００２２】
ａ．有色の背景上に印刷されるべき画像を表す入力。この画像は色又はグレースケールとすることができる。この画像は本質的にベクタ又はビットマップとすることができる。この画像は透明度情報を含むこともできる。
【００２３】
［定義１−透明度］透明度情報は、画像が特定の位置でどれくらい不透明かを示す情報である。そのような情報は、既知の画像編集用ソフトウェアによって画像の一部として埋め込まれる。例えば、そのような情報は、Ａｄｏｂｅ社からのソフトウェアＡｄｏｂｅ  ｐｈｏｔｏｓｈｏｐによって「レイヤー」のような色データで埋め込まれる。この透明度情報は、一般に、画像のデザイナーによってアートワーク設計の一部として生成され、したがって、ここで特別な労力を必要としない。透明度情報は、例えば画像データの一部でない特別な色のような画像データで他の方法によってコード化することもできる。そのようなコード化はＰＮＧ又はＧＩＦのようなファイル形式によって可能になる［７］。いくつかのグラフィック画像ファイル形式はこの情報を「アルファ」データとも呼び、透明度と同じに解釈することができる。そのようなファイル形式の例はＴＧＡである［７］。透明度情報を画像データでコード化する様々な方法を強調する目的は、画像データと共に透明度情報をコード化する様々な手段を示すためである。ここで説明されるファイル形式の名称は単に説明の目的のためであり、ここで説明されないが本明細書で説明されるような透明度情報を含むものを除外しない。この定義に従うような透明度情報を明確に含まない画像は完全に非透明又は不透明であると想定される。
【００２４】
透明度の代わりに当技術分野で頻繁に使用される別の用語は不透明度である。実際には、不透明度と透明度は互いに相補的であり、透明度％＝１００％−不透明度％という簡単な式によって関連づけられる。したがって、この開示の全体を通して、透明度及び不透明度は説明するのに適切であると考えられるときに使用される単語であり、前出の式によって互いに関連づけられる。さらに、不透明度は％単位で０％から１００％の尺度で表され、０は完全な透明を表し、１００は完全な不透明を表し、０と１００との間の値は中間状態を表す。
【００２５】
ｂ．白いアンダーベースはユニット−１で生成され、それは入力（ａ）に基づいて白のアンダーベース情報に関するデータを自動的に生成することができる埋込み型デバイスである。
【００２６】
ｃ．印刷がオフラインで行われることになっている場合、ユニット２は版作製機器又はフィルム生成機器である。印刷がオンラインで行われることになっている場合、この機器はユニット１によって生成された白いアンダーベースのデータに基づいた命令を受け取る印刷コントローラの役割をする。この情報の受取りは、それがユニット１によって生成されているときオンライン印刷機器に向けて即時とするか、又は記憶し、後でそれに送ることができる。
【００２７】
ｄ．オフセット印刷機又はスクリーン印刷機などのようなオフライン印刷機器。オンライン印刷機器は、インクジェット・プリンタ、レーザ・プリンタなどのような機器を含む。
【００２８】
［定義２−オンライン機器］本発明の目的では、オンライン印刷機器は、白いアンダーベースの情報を割り付ける前に、版、スクリーン、フィルムなどのようないかなる物理的中間物も必要とせずに、ユニット１によって生成された白いアンダーベースの情報を直接利用することができる機器である。
【００２９】
［定義３−オフライン機器］本発明の目的では、オフライン印刷機器は、白のアンダーベースの情報を割り付ける前に、版、スクリーン、フィルムなどのような物理的中間物の助けを借りてのみユニット１によって生成された白のアンダーベース情報を利用することができる機器である。
【００３０】
ユニット１の記載及び説明
発明されたシステムは有色の衣服を衣服の背景、例えば、
１．黒い背景をもつ衣服、
２．黒以外の有色の背景をもつ衣服
に応じて２つの別個の方法で処理する。
【００３１】
前記の２つの場合は共に、印刷可能な区域は、画像の不透明度が０と画定されていないところとして画定される。
【００３２】
実施形態１−黒い背景をもつ衣服
印刷プロセスで使用される色の１つが黒である場合、この方法が使用される。黒色がない場合、ケース２におけるように、それは任意の他の有色の背景として扱われる。
【００３３】
この場合、背景の色は黒のプリンタ原色に取って代わるために使用される。背景の色が黒い場合、プリンタはこのインクを物理的に含んでもよいし、含まなくてもよいが、それは白いインクと共に背景の色を使用してこのインクに取って代わるからである。例えば、黒い背景上に白いインクを有するＣＭＹプリンタはＣＭＹＫプリンタと同等である。したがって、本発明の目的では、白いインクと共に使用される場合、黒い背景はプリンタ黒原色の役割をする。
【００３４】
基本的な考え方は、どれだけの黒色が画像の色の中にあるかを決定し、次に、それを黒い背景及び白いアンダーベースの組合せからもたらされる同等な黒の色調と置き替えることである。
【００３５】
白いアンダーベースを生成するために、以下のステップが画像中の印刷可能な区域のすべてに行われる。
【００３６】
ステップ１−印刷されるべきポイントで画像の不透明度が０であるかどうかを決定する。ｙｅｓである場合、その場所の白いアンダーベース・データに０％を組み込む。或いは後のステップに続く。
【００３７】
ステップ２−Ｒ＝不透明度×Ｃ／１００の式によって定められるように、不透明度情報に応じて、印刷されるべきポイントの色値「Ｃ」から色「Ｒ」を計算する。
【００３８】
ステップ３−色「Ｒ」を、黒色％を含む印刷色パーセント値に、例えば、Ｋが黒い印刷色を表すとしてＣＭＹＫ印刷色に分割する。黒い印刷色の量を１００％から差し引き、それをそのポイントの白いアンダーベース・データに割り当てる。
【００３９】
ステップ４ − さらに物理的な黒インク・チャネルがある場合、０％を黒い印刷色データに割り当てる。
【００４０】
印刷可能な区域内で、各場所の色値が黒を含む印刷色のパーセント値の有効範囲に分割される。
【００４１】
ここで、
１．「×」は乗算記号を示し、「／」は除算を表し、「＝」は代入を表す。
２．不透明度は％で表される。
【００４２】
実施形態２−有色の背景をもつ衣服
白いアンダーベースを生成するために、以下のステップが画像中の印刷可能な区域のすべてに行われる。
【００４３】
ステップ１−印刷されるべきポイントで画像の不透明度が０であるかどうかを決定する。ｙｅｓである場合、その場所の白いアンダーベース・データに０％を組み込む。或いは後のステップに続く。
【００４４】
ステップ２−パーセント不透明度をその場所の白いアンダーベース・データに割り当てる。
【００４５】
ステップ３−不透明度情報を使用し、結果「Ｒ」＝（（（１００−不透明度））×Ｗ＋不透明度×Ｃ）／１００の式を使用して、画像の色「Ｃ」を白色「Ｗ」で構成する。
【００４６】
ステップ４−印刷色パーセント値を生成するために得られた色「Ｒ」を使用する。
【００４７】
ここで、
１．「×」は乗算記号を示し、「／」は除算を表し、「＝」は代入を表す。
２．不透明度は％で表される。
【００４８】
色値を対応する印刷色／原色データに変換する方法が知られている。この件に多量の文献が利用できる。さらに、白いアンダーベースを含む印刷色原色の生成された値が本発明のステップを経た後どのように扱われるかは、ユニット２のメーカーに任されている。参考文献［８］［９］を参照されたい。
【００４９】
好ましい実施形態
何百万もの画像ポイント／ピクセルからなる画像を考える。各画像ポイント又はピクセルは、何百万もの色を潜在的にもたらす様々な色を有することができる。したがって、本発明を説明するために、例として少数の色を考えることができる。さらに、画像は、画像の色を定義できるＲＧＢ、ＣＭＹＫ、ＬＡＢ、又は他の色空間として表すことができる。タプル（赤、緑、青）によって定義されたＲＧＢ空間を選択して本発明を説明する。しかし、この議論は極めて類似の方法で他の色空間に拡張することができる。
【００５０】
プリンタ原色は、Ｋが黒色を表すとしてＣＭＹＫであると想定されているが、本発明の教示に従って他のプリンタ・タイプにも拡張することができる。さらに、異なるＣＭＹＫプリンタは、同じ入力色に対して異なるＣＭＹＫ出力をもたらす異なるＣＭＹＫ原色を有することがある。これにもかかわらず、本発明の教示はこれらの出力状況の各々に適用可能である。
【００５１】
実施形態１−黒い背景
「実施例１」
「Ｃ」（Ｒ，Ｇ，Ｂ）＝（２５５，０，０）及び不透明度１００％で定義される赤色を考える。
【００５２】
実施形態１のステップを行うことによって、前述のように、以下の結果が観察される。
【００５３】
ステップ１−０以外の不透明度であり、白いアンダーベース生成に対する色「Ｃ」を考える。
【００５４】
ステップ２−「Ｒ」＝（２５５，０，０）を得るために、「Ｃ」及び不透明度からＲ＝（１００×（２５５，０，０））／１００として色「Ｒ」を計算する。
【００５５】
ステップ３−プリンタ原色Ｃ、Ｍ、Ｙ、Ｋを計算する。「Ｒ」はＣＭＹＫプリンタ原色のセットについて（０，９９，１００，０）になる。したがって、黒のプリンタ原色すなわち「Ｋ」の対応する値は０である。したがって、１００−０％がこの色に対する白のアンダーベース値に割り当てられる。
【００５６】
ステップ４−０％が「Ｋ」の値に割り当てられる。
【００５７】
「実施例２」
「Ｃ」（Ｒ，Ｇ，Ｂ）＝（２５５，０，０）及び不透明度０％で定義される赤色を考える。
【００５８】
実施形態１のステップを行うことによって以下の結果が観察される。
【００５９】
ステップ１−０の不透明度であり、したがって、そのポイントの白いアンダーベースに０％の値を割り当てる。
【００６０】
「実施例３」
「Ｃ」（Ｒ，Ｇ，Ｂ）＝（２５５，０，０）及び不透明度５０％で定義される赤色を考える。
【００６１】
実施形態１のステップを行うことによって以下の結果が観察される。
【００６２】
ステップ１−０以外の不透明度であり、白いアンダーベース生成に対する色「Ｃ」を考える。
【００６３】
ステップ２−「Ｒ」＝（１２７．５，０，０）を得るために、「Ｃ」及び不透明度からＲ＝（５０×（２５５，０，０））／１００として色「Ｒ」を計算する。
【００６４】
ステップ３−プリンタ原色Ｃ、Ｍ、Ｙ、Ｋを計算する。「Ｒ」はＣＭＹＫプリンタ原色のセットについて（２９，１００，１００，３８）になる。したがって、黒のプリンタ原色すなわち「Ｋ」の対応する値は３８である。したがって、１００−３８％、すなわち６２％がこの色に対する白のアンダーベース値に割り当てられる。
【００６５】
ステップ４−０％が「Ｋ」の値に割り当てられる。
【００６６】
「実施例４」
「Ｃ」（Ｒ，Ｇ，Ｂ）＝（０，１０４，３４）及び不透明度１００％で定義される濃い緑色を考える。
【００６７】
実施形態１のステップを行うことによって以下の結果が観察される。
【００６８】
ステップ１−０以外の不透明度であり、白いアンダーベース生成に対する色「Ｃ」を考える。
【００６９】
ステップ２−「Ｒ」＝（０，１０４，３４）を得るために、「Ｃ」及び不透明度からＲ＝（１００×（０，１０４，３４））／１００として色「Ｒ」を計算する。
【００７０】
ステップ３−プリンタ原色Ｃ、Ｍ、Ｙ、Ｋを計算する。「Ｒ」はＣＭＹＫプリンタ原色のセットについて（８９，３３，１００，２６）になる。したがって、黒のプリンタ原色すなわち「Ｋ」の対応する値は２６である。したがって、１００−２６％、すなわち７４％がこの色に対する白のアンダーベース値に割り当てられる。
【００７１】
ステップ４−０％が「Ｋ」の値に割り当てられる。
【００７２】
実施形態２−黒以外の有色の背景
ＲＧＢ画像の場合には、白色「Ｗ」はＲＧＢ（２５５，２５５，２５５）によって表される。
【００７３】
「実施例１」
「Ｃ」（Ｒ，Ｇ，Ｂ）＝（２５５，０，０）及び不透明度１００％で定義される赤色を考える。
【００７４】
実施形態２のステップを行うことによって以下の結果が観察される。
【００７５】
ステップ１−０以外の不透明度であり、白いアンダーベース生成に対する色「Ｃ」を考える。
【００７６】
ステップ２−不透明度が１００％であるので、１００％の値がこの色に対する白のアンダーベース値に割り当てられる。
【００７７】
ステップ３−「Ｒ」＝（２５５，０，０）を得るために、「Ｃ」及び不透明度からＲ＝（（１００−１００）×（２５５，２５５，２５５）＋１００×（２５５，０，０））／１００として色「Ｒ」を計算する。
【００７８】
ステップ４−プリンタ原色Ｃ、Ｍ、Ｙ、Ｋを計算する。「Ｒ」はＣＭＹＫプリンタ原色のセットについて（０，９９，１００，０）になる。
【００７９】
「実施例２」
「Ｃ」（Ｒ，Ｇ，Ｂ）＝（２５５，０，０）及び不透明度０％で定義される赤色を考える。
【００８０】
実施形態２のステップを行うことによって以下の結果が観察される。
【００８１】
ステップ１−０の不透明度であり、したがって、そのポイントの白のアンダーベースに０％の値を割り当てる。
【００８２】
「実施例３」
「Ｃ」（Ｒ，Ｇ，Ｂ）＝（２５５，０，０）及び不透明度５０％で定義される赤色を考える。
【００８３】
実施形態２のステップを行うことによって以下の結果が観察される。
【００８４】
ステップ１−０以外の不透明度であり、白いアンダーベース生成に対する色「Ｃ」を考える。
【００８５】
ステップ２−不透明度が５０％であるので、５０％の値をこの色に対する白のアンダーベース値に割り当てる。
【００８６】
ステップ３−「Ｒ」＝（２５５，１２７．５，１２７．５）を得るために、「Ｃ」及び不透明度からＲ＝（（１００−５０）×（２５５，２５５，２５５）＋５０×（２５５，０，０））／１００として色「Ｒ」を計算する。
【００８７】
ステップ４−プリンタ原色Ｃ、Ｍ、Ｙ、Ｋを計算する。「Ｒ」はＣＭＹＫプリンタ原色のセットについて（０，６４，３９，０）になる。
【００８８】
「実施例４」
「Ｃ」（Ｒ，Ｇ，Ｂ）＝（０，１０４，３４）及び不透明度１００％で定義される濃い緑色を考える。実施形態２のステップを行うことによって以下の結果が観察される。
【００８９】
ステップ１−０以外の不透明度であり、したがって、白いアンダーベース生成に対する色「Ｃ」を考える。
【００９０】
ステップ２−不透明度が１００％であるので、１００％の値をこの色に対する白のアンダーベース値に割り当てる。
【００９１】
ステップ３−「Ｒ」＝（０，１０４，３４）を得るために、「Ｃ」及び不透明度からＲ＝（（１００−１００）×（２５５，２５５，２５５）＋１００×（０，１０４，３４））／１００として色「Ｒ」を計算する。
【００９２】
ステップ４−プリンタ原色Ｃ、Ｍ、Ｙ、Ｋを計算する。「Ｒ」はＣＭＹＫプリンタ原色のセットについて（８９，３３，１００，２６）になる。
【００９３】
実施
発明された装置は、マイクロプロセッサを有する機器をもつ、計算能力をもつ、又は計算機器若しくはＰＤＡを使用する任意の印刷機器内の埋込み型システムとして実施できる。実施の好ましい方法は、ユニット２の一部として説明された機器と接続することができるか、又は切り離して作業し、データ記憶機器若しくは伝達機器によってユニット２と接続することができるコンピュータ・システムである。
【図面の簡単な説明】
【００９４】
【図１】衣服を分類するためのフローチャートである。
【図２】黒い衣服用に白いアンダーベースを生成するためのフローチャートである。
【図３】黒以外の有色の衣服用に白いアンダーベースを生成するためのフローチャートである。
【図４】本発明による埋込み型システムを含む装置を概略的に示す図である。
【００９５】
引用された参考文献
１．www.screenprinters.net/articles/index.php?art=14
２．www.images-magzine.com/imagesarticle.php/article id=47
３．www.signweb.com/digital/cont/rolandsoljetsc.html
４．米国アリゾナ州に本拠がある会社のユー・エス・スクリーン・プリント・アンド・インクジェット・テクノロジーからのファスト・アーティスト・サインラブ７．１（Fast Artist SignLab7.1）、５章−「衣服への印刷用白インク」
５．オニックス・グラフィックス・コーポレーションからのオニックスＲＩＰ報告書−白インクを用いる作業、オニックス・バージョン６．５、２００５年５月
６．オニックス・グラフィックス・コーポレーションからのオニックスＲＩＰ報告書−特殊インク器具、オニックス・バージョン６．５、２００５年１０月
７．図形ファイル形式の百科事典（第２版）−オライリー・アンド・アソシエイツ株式会社によって出版されたジェイムス・ディー・マレイ及びウィリアム・ヴァンライパーによる書籍
８．エレクトロニック・イメージング・デバイスのための色技術−ＳＰＩＥプレスによって出版されたヘンリー・アール・カングによる書籍、ＩＳＢＮ  ０−８１９４−２１０８−１
９．色プロフィル用アイ・シー・シー・ファイル形式−インターナショナル・カラー・コンソーシアム・ウェブサイト  www.color.org
【図１】
0004772129.tif 000002
【図２】
0004772129.tif 000003
【図３】
0004772129.tif 000004
【図４】
0004772129.tif 000005